(57)【要約】【課題】拭き取り対象の屈曲部や角部で別段、洗剤を使用することなく汚れを掻き取り、拭き取り効果を向上する。【解決手段】互いに並列して縦方向に延びる合成繊維よりなる鎖編と、該鎖編に対し緯方向に振って挿入された合成繊維よりなる緯挿入糸によってトリコット基布１面が編成されると共に、該基布面の表裏にパイル糸の挿入により一面側に長いパイル２、他面側に短いパイル３が夫々形成された所要大きさのトリコット編地よりなり、該トリコットパイル編地の上記長短のパイル２，３が夫々断面矩形状の扁平レーヨンフィラメント糸によって形成されていることを特徴とする。【選択図】          図１
2008144313.tif 000002
【特許請求の範囲】
【請求項１】
互いに並列して縦方向に延びる合成繊維よりなる鎖編と、該鎖編に対し緯方向に振って挿入された合成繊維よりなる緯挿入糸によって基布面が編成されると共に、該基布面の表裏にパイル糸の挿入により一面側に長いパイル、他面側に短いパイルが夫々形成された所要大きさのトリコットパイル編地よりなり、該トリコットパイル編地の上記長短のパイルは夫々、断面矩形状の扁平レーヨンフィラメント糸によって形成されていることを特徴とする拭き取り用布。
【請求項２】
鎖編形成糸及び緯挿入糸が７５デニール，３６フィラメントのポリエステル糸であり、パイル形成糸が３００デニール，３０フィラメントの扁平レーヨンフィラメント糸である請求項１記載の拭き取り用布
【発明の詳細な説明】
【技術分野】
【０００１】
本発明は家庭用台所を始め、食卓，洗面台，風呂場などにおける拭き取り対象面に付着している頑固な汚れを拭き取るための拭き取り用布に関するものである。
【背景技術】
【０００２】
従来から拭き取り用布として家庭用台所などにおいてオーブンレンジや換気扇などに付着した油汚れや、食卓，洗面台の汚れを拭き取ることが広く行なわれており、そのために洗浄剤や研磨剤を含有する種々の布が用いられて来たが、その後、不織布表面に熱圧着された部分的な凹部と繊維立毛された凸部を有するワイピングクロス（例えば特許文献１参照）や、表層部がポリエステル系芯鞘型複合繊維の熱可塑性繊維層から形成され、裏層部がレーヨン繊維などの親水性繊維から形成されるワイピング不織布（例えば特許文献２参照）や、また、ポリオレフィン系親油性繊維を５０％含有した繊維よりなる拭き取り層と、親水性繊維を５０％以上含有した繊維層よりなる洗浄剤保持層とからなる拭き取り用クロス（例えば特許文献３参照）などが提案されている。
【０００３】
一方、上記の各提案と並行してタオル織機を用いてパイルを現出作成したタオル状の拭き取り用布がコスト的にも安く、大量生産できることから現在、広く実用に供せられている。
【特許文献１】特開平４−１６６１２３号公報
【特許文献２】特開２００２−２６３０４３号公報
【特許文献３】特開２００４−１４１２９４号公報
【発明の開示】
【発明が解決しようとする課題】
【０００４】
しかし、上記各提案に係る拭き取り用布は、何れも繊維の自由度が大きく拭き取り対象面の表面の塵や埃，低粘度の液体や油汚れなどの拭き取りについては有効であるものの、屈曲部や角部などにおいては拭き取り効果を充分に得られない難があり、しかも洗浄剤の付与などを行うときは製造工程が複雑化され、生産能率やコスト面で問題があった。
【０００５】
これに対し、タオル織機を使用したタオル状拭き取り用布はコスト的に安く、大量生産可能である反面、パイル糸としてフィラメントを用いた場合は、フィラメントは通常の短繊維紡績糸に比較し表面が平滑であり、しかもパイル糸はタオル組織の経緯糸、特に経糸に単に止められているだけであるから、パイル糸が何かに引っ掛かった場合には抜け易いという難点があった。
【０００６】
本発明は上述の如き実状に対処すべく経編機の使用により生産効率を上げると共に、特にパイル糸に断面矩形状の扁平レーヨンフィラメント糸を用いてもパイルの抜けが起こることがなく、しかも扁平糸の利用によりその角部で洗剤を別段使用することなしに汚れを掻き取り、生産効率よく、しかも洗剤を不要ならしめることの可能な拭き取り布を提供することを目的とするものである。
【課題を解決するための手段】
【０００７】
即ち、上記目的に適合する本発明は、互いに並列して縦方向に延びる合成繊維よりなる鎖編と、該鎖編に対し緯方向に振って挿入された合成繊維よりなる緯挿入糸によってトリコット基布面が編成されると共に、該基布面の表裏にパイル糸の挿入により一面側に長いパイル、他面側に短いパイルが夫々形成された所要大きさのトリコットパイル編地よりなり、該トリコットパイル編地の上記長短のパイルが夫々断面矩形状の扁平レーヨンフィラメント糸によって形成されている拭き取り用布を特徴とする。
【０００８】
ここで上記使用される鎖編形成糸及び緯挿入糸は、使用上、７５デニール，３６フィラメントのポリエステル糸が好ましく、一方、パイル形成糸は３００デニール，３０フィラメントの扁平レーヨンフィラメント糸が好適である。
【発明の効果】
【０００９】
上記本発明拭き取り用布は、経編機の使用によりパイル糸が編組織の1つとして確実に係止されているためパイルの抜けが防止されると共に、断面矩形状の扁平レーヨンフィラメント糸が清拭面に接触するパイル糸として用いられているから、矩形状扁平レーヨンフィラメント糸の有している角部により汚れを掻き落とすことができ、特に洗剤を使用するまでもなく、拭き取り作業の効用を向上せしめると共に、基布ならびにパイルにより拭き取りやすい適度な固さと柔軟性を有しており、しかも既知の経編機により生産可能であるため、生産効率に優れ、コストを大幅に低減させることができる効果を有している。
【発明を実施するための最良の形態】
【００１０】
以下、更に本発明の具体的態様について説明する。図１は本発明に係る拭き取り用布の外観概要図であり、図２は断面概要図、図３はその組織の１例を示す。
【００１１】
これら図に示す如く本発明拭き取り用布はトリコット基布１面の表裏にパイルが、図では表面側に長いパイル２、裏面側に短いパイル３が夫々、形成されたトリコットパイル編地により所要大きさの拭き取り用布として作成されている。４は周縁部の縁止めである。
【００１２】
なお、上記トリコットパイル編地の形成は既知のトリコット機などの経編機を使用することにより編成可能であり、特にＦＢＺトリコット機は最も好適で、例えば図３に示すように鎖編糸ｃにより縦方向に並列して延びる鎖編目列を編成し、緯挿入糸ｂを該鎖編に横振り挿入することによって前記トリコット基布１が形成されると共に、基布表面側に挿入される挿入パイル糸ｄによって表面の長いパイルが、一方、裏面側に挿入される挿入パイル糸ａによって裏面側の短いパイルが夫々編組織と一体となって現出され、本発明におけるトリコットパイル編地が形成される。
【００１３】
ここで、上記トリコットパイル編地における糸使いは、天然繊維，合成繊維などが何れも使用可能であるが、本発明においてはトリコット基布１を形成する鎖編糸ｃ及び緯挿入糸ｂはナイロン，ポリエステルなどの合成繊維糸、特にポリエステル繊維糸が好ましく、通常、７５デニール，３６フィラメントのポリエステル繊維糸が用いられる。
【００１４】
一方、トリコット基布面の表裏に形成されるパイル糸ａ，ｄは親水性繊維糸を用いることが好ましく、特に本発明においては断面矩形状の扁平レーヨン糸、とりわけ３００デニール，３０フィラメントの扁平レーヨンフィラメント糸が用いられる。扁平レーヨンフィラメント糸は親水性であり、柔軟性を有し、特に断面矩形状で拭き取り対象が各角部をもっていることから拭き取り布として汚れの掻き取りに有効であり、殊に洗剤等の使用が難しいような屈曲部，角隅部などにおける汚れの拭き取りに極めて効果的である。この扁平レーヨンフィラメント糸よりなるトリコット基布面上のパイルは、ループ状のままでもよいが、ＦＢＺ経編機のダブルブラッシング機構により最初に表側のループを第１のブラッシングローラによって引き出し、その後裏側のループを第２のブラッシングローラによって均一化し、立毛形状とすることも可能であり、この場合、扁平レーヨンフィラメント糸がばらけて、角隅部の掻き取りを良好に行うことができる。なお、扁平レーヨンフィラメント糸は前述の如く親水性であるため、水分の保持性能があり、軟らかく拭き取り対象面を拭き取る上に有効である。
【００１５】
なお、上記に限らず、トリコット基布を含めて挿入パイル糸と共に全てを扁平レーヨンフィラメント糸を用いて編成してもよく、この場合はやや強度に欠けるが、経編機による生産効率，コスト低減よりみて充分、実施可能である。
【００１６】
以上、トリコット基布を主体として説明したが、トリコットと同類のラッセル編によっても並列された鎖編目より形成される面では同様であり、適用し得ることは勿論である。
【００１７】
かくして本発明拭き取り用布は既知の経編機を用いて生産効率を良好ならしめ、コスト低減と共にパイル糸が組織化され、使用中に抜けることがなく、拭き取り用として長期使用を可能ならしめる実用上の効果は頗る大である。
【図面の簡単な説明】
【００１８】
【図１】本発明に係る拭き取り用布の外観を示す概要図である。
【図２】本発明拭き取り用布の断面状態を示す概要図である。
【図３】本発明拭き取り用布の組織構成の１例を示す図である。
【符号の説明】
【００１９】
１：トリコット基布
２：表面側パイル
３：裏面側パイル
【図１】
2008144313.tif 000003
【図２】
2008144313.tif 000004
【図３】
2008144313.tif 000005